(57)【要約】【課題】商用電源がない場所において、電気かみそり本体の電池が切れたときであっても、使用時における電気かみそりの重量が大きくならないようにする、電気かみそり用収納ケースを提供することである。【解決手段】電気かみそりRを収納する上方に開口したケース本体２と、前記ケース本体２の上方開口を開閉する蓋体３と、を有する電気かみそり用収納ケース１において、前記電気かみそりRが前記ケース本体２内に収納された状態で、前記電気かみそりRに設けられている電気接続子４と接触して電気的に接続される電気接続端子５と、前記電気接続子４と前記電気接続端子５との接触により前記電気かみそりRの内部に設けられている充電式の第一の電池を充電する第二の電池５と、を前記ケース本体２または前記蓋体３に備えている。【選択図】図３
2013059371.tif 000002
【特許請求の範囲】
【請求項１】
電気かみそりを収納する上方に開口したケース本体と、前記ケース本体の上方開口を開閉する蓋体と、を有する電気かみそり用収納ケースにおいて、
前記電気かみそりが前記ケース本体内に収納された状態で、前記電気かみそりに設けられている電気接続子と接触して電気的に接続される電気接続端子と、前記電気接続子と前記電気接続端子との接触により前記電気かみそりの内部に設けられている充電式の第一の電池を充電する第二の電池と、
を前記ケース本体又は前記蓋体に備えていることを特徴とする電気かみそり用収納ケース。
【請求項２】
前記第二の電池を、前記ケース本体の底部と側部とで形成される内隅部分に備えていることを特徴する請求項１に記載の電気かみそり用収納ケース。
【請求項３】
前記第一の電池と前記第二の電池の少なくもいずれか一方の電池残量が検知されるようになし、
前記ケース本体と前記蓋体の少なくともいずれか一方には、前記検知された電池残量を表示する電池残量表示部が設けられていることを特徴とする請求項１もしくは２に記載の電気かみそり用収納ケース。
【請求項４】
前記第二の電池は充電式であって、前記ケース本体は商用電源に差し込むための接続プラグ部を有し、
前記電気かみそりが前記ケース本体内に収納された状態で充電する場合には、前記接続プラグを介して前記第一の電池と前記第二の電池とを充電するものであり、この場合、前記第一の電池が前記第二の電池よりも優先的に充電されるようになされていることを特徴とする請求項１から３のいずれか一項に記載の電気かみそり用収納ケース。
【発明の詳細な説明】
【技術分野】
【０００１】
本願発明は、電気かみそり用収納ケースに関するものである。
【背景技術】
【０００２】
従来から、特許文献１に示されるような電気かみそりが知られている。図８に示されるように、この電気かみそり１００は、電気かみそり本体１０Ｒと、電気かみそり本体１０Ｒに着脱可能に嵌合されるカバー１０１とを有する。このカバー１０１の内部に、予備電池１０５が設けられている。
【０００３】
この電気かみそり１００においては、電気かみそり本体１０Ｒに内蔵されている電池を充電し忘れた場合でも使用できる。具体的には、カバー１０１を電気かみそり本体１０Ｒの底面に嵌合すれば、予備電池１０５が内部の電源回路に接続され、予備電池１０５を電源として駆動するようになされている。
【先行技術文献】
【特許文献】
【０００４】
【特許文献１】実公平３−２７５７５号公報
【発明の概要】
【発明が解決しようとする課題】
【０００５】
しかしながら、特許文献１に示される電気かみそり１００では、商用電源がない場所において電気かみそり本体１０Ｒに内蔵されている電池が切れたとき、カバー１０１を電気かみそり本体１０Ｒの底面に嵌合して使用しなければならず、使用時における重量が大きくなるという問題があった。
【０００６】
本願発明は上記問題に鑑みてなされたもので、その課題は、商用電源がない場所において電気かみそり本体の電池が切れたときであっても、使用時における電気かみそりの重量が大きくならないようにする電気かみそり用収納ケースを提供することである。
【課題を解決するための手段】
【０００７】
上記課題を解決するために、本願発明の電気かみそり用収納ケースは、電気かみそりを収納する上方に開口したケース本体と、前記ケース本体の上方開口を開閉する蓋体と、を有する電気かみそり用収納ケースにおいて、前記電気かみそりが前記ケース本体内に収納された状態で、前記電気かみそりに設けられている電気接続子と接触して電気的に接続される電気接続端子と、前記電気接続子と前記電気接続端子との接触により前記電気かみそりの内部に設けられている充電式の第一の電池を充電する第二の電池と、を前記ケース本体または前記蓋体に備えているものである。
【０００８】
また、前記第二の電池を、前記ケース本体の底部と側部とで形成される内隅部分に備えていることが好ましい。
【０００９】
また、前記第一の電池と前記第二の電池の少なくもいずれか一方の電池残量が検知されるようになし、前記ケース本体と前記蓋体の少なくともいずれか一方には、前記検知された電池残量を表示する電池残量表示部が設けられていることが好ましい。
【００１０】
また、前記第二の電池は充電式であって、前記ケース本体は商用電源に差し込むための接続プラグ部を有し、前記電気かみそりが前記ケース本体内に収納された状態で充電する場合には、前記接続プラグを介して前記第一の電池と前記第二の電池とを充電するものであり、この場合、前記第一の電池が前記第二の電池よりも優先的に充電されるようになされていることが好ましい。
【発明の効果】
【００１１】
本願発明の電気かみそり用収納ケースにおいては、電気かみそり用収納ケースに備えられている第二の電池が、電気かみそりの内部に設けられている充電式の第一の電池を充電する。そのため、電気かみそりの使用時には、電気かみそり用収納ケースから電気かみそりを取り出して使用するため、使用時における電気かみそりの重量が大きくならない。
【図面の簡単な説明】
【００１２】
【図１】本願発明の第１の実施形態に係る電気かみそり用収納ケースの斜視図
【図２】本願発明の第１の実施形態に係る電気かみそりとケース本体の斜視図
【図３】本願発明の第１の実施形態に係る内カバーを外した状態におけるケース本体の斜視図
【図４】本願発明の図２におけるケース本体のＡ−Ａ断面図
【図５】本願発明の図２におけるケース本体のＢ−Ｂ断面図
【図６】本願発明の第１の実施形態に係る、ＡＣアダプタ、電気かみそり及び電気かみそり用収納ケースの回路構成の概略図
【図７】本願発明の第１の実施形態に係る電池残量表示部の概略正面図
【図８】特許文献１で示されている電気かみそり本体とカバーとの斜視図
【発明を実施するための形態】
【００１３】
図１から図７に基づいて、電気かみそり用収納ケース１に関する本願発明の第１の実施形態について説明する。図１は、本願発明の第１の実施形態に係る電気かみそり用収納ケースの斜視図である。図２は、本願発明の第１の実施形態に係る電気かみそりとケース本体の斜視図である。図３は、本願発明の第１の実施形態に係る内カバーを外した状態におけるケース本体の斜視図である。図４は、本願発明の第１の実施形態に係るケース本体のＡ−Ａ断面図である。図５は、本願発明の第１の実施形態に係るケース本体のＢ−Ｂ断面図である。図６は、本願発明の第１の実施形態に係る、ＡＣアダプタ、電気かみそり、収納ケースの回路構成の概略図である。図７は、本願発明の第１の実施形態に係る電池残量表示部の概略正面図である。
【００１４】
本実施形態における電気かみそり用収納ケース１は、電気かみそりRを収納する上方に開口したケース本体２と、前記ケース本体２の上方開口を開閉する蓋体３と、を有する電気かみそり用収納ケース１において、前記電気かみそりＲが前記ケース本体２内に収納された状態で、前記電気かみそりＲに設けられている電気接続子Ｒ１と接触して電気的に接続される電気接続端子４と、前記電気接続子Ｒ１と前記電気接続端子４との接触により前記電気かみそりＲの内部に設けられている充電式の第一の電池（図示せず）を充電する第二の電池５と、を前記ケース本体２または前記蓋体３に備えているものである。また、前記第二の電池５を、前記ケース本体２の底部と側部とで形成される内隅部分に備えているものである。また、前記第一の電池と前記第二の電池５の少なくもいずれか一方の電池残量が検知されるようになし、前記ケース本体２と前記蓋体３の少なくともいずれか一方には、前記検知された電池残量を表示する電池残量表示部６が設けられている。また、前記第二の電池５は充電式であって、前記ケース本体２は商用電源に差し込むための接続プラグ部８１を有し、前記電気かみそりＲが前記ケース本体２内に収納された状態で充電する場合には、前記接続プラグ部８１を介して前記第一の電池と前記第二の電池５とを充電するものであり、この場合、前記第一の電池が前記第二の電池５よりも優先的に充電されるようになされている。
【００１５】
本実施形態の電気かみそり用収納ケース１の構成を図１から図７に基づいて、より具体的に説明する。図１に示すように、電気かみそり用収納ケース１は、電気かみそりＲを収納するケース本体２と、ケース本体２の開口を開閉する蓋体３とから構成される。蓋体３には、第一の電池と第二の電池５とのそれぞれの電池残量を表示する電池残量表示部６が設けられている。
【００１６】
ケース本体２の構成を図２から図５に基づいて説明する。図２に示すように、ケース本体２は、電気かみそりＲを収納できるような形状になっている。電気かみそりＲを収納する側、つまり上方に開口している側には、内カバー７が設けられている。そして、電気かみそりＲに設けられている電気接続端子Ｒ１と接触できるように、この内カバー７から電気接続子４が突出するように設けられている。図３に示すように、電気接続子４は、充電デバイス８と電気的に接続されている。そして、充電デバイス８は、第二の電池５とも電気的に接続されている。本実施形態において、第一の電池と同様に、第二の電池５も充電式の電池である。図４と図５とに示すように、充電デバイス８と第二の電池５とは、内カバー７とケース本体２との間に形成される空間に設けられている。すなわち、ケース本体２の底部と側部とで形成される内隅部分に、充電デバイス８と第二の電池５とは設けられている。そのため、内カバー７が設けられている状態においては、充電デバイス８と第二の電池５とは、外観上見えない位置に設けられている。また、図５に示すように、充電デバイス８は、ＡＣ／ＤＣアダプタと接続することができる接続プラグ部８１を有している。接続プラグ部８１は、ケース本体２の外表面の側部に設けられている。なお、内カバー７はゴム製の部材により形成されており、ケース本体２はプラスチック製の部材により形成されている。
【００１７】
このように構成することで、電気かみそりＲがケース本体２に収納されている状態では、電気接続端子Ｒ１と電気接続子４とが接触することで電気的に接続される。そして、第二の電池５が、充電デバイス５と電気接続端子４とを介して、電気かみそりＲに設けられている第一の電池を充電する。また、この接続プラグ部８１にＡＣ／ＤＣアダプタを接続することで、商用電源から電気を得ることができる。したがって、商用電源から、第一の電池を直接充電することもできる。なお、図６に示すように、第二の電池５よりも、第一の電池が優先的に充電されるように回路を構成している。そのため、第一の電池の充電が切れたときであっても、より短期間で電気かみそりＲを使用できるようになる。
【００１８】
蓋体３の構成を図１と図７とに基づいて説明する。既に図１に基づいて説明したように、蓋体３はケース本体２の開口を開閉するものである。そして、蓋体３には、第一の電池と第二の電池５とのそれぞれの電池残量を表示する電池残量表示部６が設けられている。この電池残量表示部６は、充電デバイス８と電気的に接続（図示せず）されていることで、第一の電池と第二の電池５の電池残量を表示することができるようになされている。図７において、上側の表示が第一の電池の電池残量を表示するものであり、下側の表示が第二の電池５の電池残量を表示するものである。ケース本体２から電気かみそりＲを取り出すと、第一の電池の電池残量を表示する範囲が消え、第二の電池５の電池残量のみ表示されるようになされている。なお、電池残量表示部６は、第一の電池の電池残量だけを表示するものであってもよいし、第二の電池６の電池残量だけを表示するものであってもかまわない。さらには、所定時間の経過毎に、第一の電池の電池残量と第二の電池５の電池残量とを切り替えて表示するようになしてもよい。また、電気かみそり用収納ケース１に、第一の電池の電池残量と第二の電池５の電池残量とを切り替える切換スイッチを設けてもよい。
【００１９】
このように構成することで、電気かみそりＲに設けられている第一の電池の電池残量と、ケース本体２に設けられている第二の電池５の電池残量とを簡単に確認できる。したがって、第一の電池と第二の電池５との電池切れを未然に防ぎやすくなる。
【００２０】
なお、電池残量表示部６は、蓋体３に設けてもよい。また、電気かみそりＲ１に電気かみそりＲ１の電池残量を表示する表示部が設けられている場合には、ケース本体２もしくは蓋体３に透明な窓を設け、この窓を介して、電気かみそりＲ１の電池残量を表示する表示部を見ることができるようになしてもよい。
【符号の説明】
【００２１】
１  電気かみそり用収納ケース
２  ケース本体
３  蓋体
４  電気接続子
５  第一の電池
６  電池残量表示部
８１  接続プラグ部
Ｒ  電気かみそり
Ｒ１  電気接続端子
【図１】
2013059371.tif 000003
【図２】
2013059371.tif 000004
【図３】
2013059371.tif 000005
【図４】
2013059371.tif 000006
【図５】
2013059371.tif 000007
【図６】
2013059371.tif 000008
【図７】
2013059371.tif 000009
【図８】
2013059371.tif 000010